(57)【要約】【課題】少なくとも前立てのヨレを防止するための補強材を簡単に設置可能な上衣を提供する。【解決手段】本発明の第一の実施形態は、前立てと、前記前立ての上部に接続された台襟とを有する上衣であって、前記前立てには、前記前立て及び前記台襟の内部に配置することで前記前立て及び前記台襟を補強する補強材を挿入するための挿入口が形成されており、前記前立てと前記台襟の接続部には、前記前立ての内部から前記台襟の内部に前記補強材を挿入可能な連通路が形成されている。本発明の第二の実施形態は、前立てを有する上衣であって、前記前立てには、前記前立ての内部に配置することで前記前立てを補強する補強材の下部を支えるストッパーが形成されており、かつ前記前立ての内部に前記補強材を挿入するための穴が形成されている。【選択図】図１
2019039118.tif 000002
【特許請求の範囲】
【請求項１】
前立てと、前記前立ての上部に接続された台襟とを有する上衣であって、
前記前立てには、前記前立て及び前記台襟の内部に配置することで前記前立て及び前記台襟を補強する補強材を挿入するための挿入口が形成されており、
前記前立てと前記台襟の接続部には、前記前立ての内部から前記台襟の内部に前記補強材を挿入可能な連通路が形成されている
上衣。
【請求項２】
前記前立てと前記台襟の接続部には、両者を接続する縫合部と、前記連通路となる非縫合部とが形成されている
請求項１に記載の上衣。
【請求項３】
前記前立てには、前記補強材の下部を支えるストッパーが形成されている
請求項１又は２に記載の上衣。
【請求項４】
前立てを有する上衣であって、
前記前立てには、前記前立ての内部に配置することで前記前立てを補強する補強材の下部を支えるストッパーが形成されており、かつ前記前立ての内部に前記補強材を挿入するための挿入口が形成されている
上衣。
【請求項５】
前記前立ての内側の側辺には、前記挿入口となる非縫合部が設けられている
請求項１〜４のいずれか１項に記載の上衣。
【請求項６】
前記挿入口は、前記前立ての裏面に形成されている
請求項１〜５のいずれか１項に記載の上衣。
【請求項７】
前記前立ての内部に挿入されている補強材を、前記挿入口から取り出すことが可能である
請求項１〜６のいずれか１項に記載の上衣。
【請求項８】
前記前立ての内部に前記補強材が配置されている
請求項１〜７のいずれか１項に記載の上衣。
【発明の詳細な説明】
【技術分野】
【０００１】
本発明は、少なくとも前立てのヨレを防止するための補強材を簡単に設置可能な上衣に関する。
【背景技術】
【０００２】
シャツなどの上衣は、前立て上部のボタンの幾つかを外したまま着ることが多い。しかし、前立てのボタンを外した状態では、前立てにヨレが発生し、見栄えがよくなかった。そこで、上衣の少なくとも前立てのヨレを防止するための補強材が開発されており（特許文献１）、そのような補強材は、ミリオンダラーカラー社から上市されている（非特許文献１）。
【先行技術文献】
【特許文献】
【０００３】
【特許文献１】国際公開第２０１５／０５７３９０号
【非特許文献】
【０００４】
【非特許文献１】https://milliondollarcollar.com/
【発明の概要】
【発明が解決しようとする課題】
【０００５】
特許文献１に記載された図面や非特許文献１に掲載された説明図によれば、補強材はミシン等で台襟に縫い付けることで固定される。すなわち、上衣を製造する段階で補強材を設置する必要があり、既存の上衣に補強材を設置するためには、前立て及び台襟の縫い目を一旦ほどき、補強材を設置した上で改めてミシン等で縫う必要がある。
【０００６】
そこで、本発明は、少なくとも前立てのヨレを防止するための補強材を簡単に設置可能な上衣を提供すること目的とする。
【課題を解決するための手段】
【０００７】
本発明の第一の実施形態は、前立てと、前記前立ての上部に接続された台襟とを有する上衣であって、
前記前立てには、前記前立て及び前記台襟の内部に配置することで前記前立て及び前記台襟を補強する補強材を挿入するための挿入口が形成されており、
前記前立てと前記台襟の接続部には、前記前立ての内部から前記台襟の内部に前記補強材を挿入可能な連通路が形成されている。
【０００８】
本発明の第二の実施形態は、前立てを有する上衣であって、
前記前立てには、前記前立ての内部に配置することで前記前立てを補強する補強材の下部を支えるストッパーが形成されており、かつ前記前立ての内部に前記補強材を挿入するための挿入口が形成されている。
【発明の効果】
【０００９】
本発明によれば、少なくとも前立てのヨレを防止するための補強材を簡単に設置可能な上衣を提供することができる。
【図面の簡単な説明】
【００１０】
【図１】本発明の第一の実施形態に係る上衣の一構成例を示す図であり、（ａ）は補強材を挿入する前の状態、（ｂ）は補強材を挿入している状態、（ｃ）は補強材を挿入した後の状態を示す。
【図２】本発明の第一の実施形態に係る上衣の一構成例を示す図であり、（ａ）は補強材を挿入する前の状態、（ｂ）は補強材を挿入している状態、（ｃ）は補強材を挿入した後の状態を示す。
【図３】本発明の第二の実施形態に係る上衣の一構成例を示す図であり、（ａ）は補強材を挿入する前の状態、（ｂ）は補強材を挿入している状態、（ｃ）は補強材を挿入した後の状態を示す。
【図４】本発明の第二の実施形態に係る上衣の一構成例を示す図であり、（ａ）は補強材を挿入する前の状態、（ｂ）は補強材を挿入している状態、（ｃ）は補強材を挿入した後の状態を示す。
【図５】前立てに設けられた穴から補強材を挿入している状態のバリエーションを示す図である。
【発明を実施するための形態】
【００１１】
本発明の第一の実施形態に係る上衣は、前立て及び台襟のヨレを防止するための補強材を前立て及び台襟の内部に挿入可能なものである。本発明の第二の実施形態に係る上衣は、前立てのヨレを防止するための補強材を前立ての内部に挿入可能なものである。本発明の第一の実施形態に係る上衣の構成例を図１〜２に示し、本発明の第二の実施形態に係る上衣の構成例を図３〜４に示す。
【００１２】
本発明の第一の実施形態において、上衣１は、少なくとも前立て２及び台襟３を有する。本発明の第二の実施形態において、上衣１は、少なくとも前立て２を有する。上衣１の具体例としては、ワイシャツ、ポロシャツ、ニットシャツ、デニムシャツ、ヘンリーネックＴシャツ等のシャツが挙げられる。上衣１を形成する生地の織り方としては、ブロード、オックスフォード、サテン、シャンブレー、ローン、ボイル、刺子織、絡み織、フランス綾カルゼ、バスケット、ヘリンボーン、ドビー、ジャガードなどが挙げられる。
【００１３】
前立て２としては、前身頃の端部が表側に折り返っている表前立て、前身頃の端部が裏側に折り返っている裏前立て、前立てを二重にしてボタンを見えなくした比翼仕立てなどが挙げられる。前立て２の上側になる前身頃（上前身頃）には適宜ボタンホール１６が形成され、前立ての下側になる前身頃（下前身頃）には、ボタンホールの位置に合わせてボタン（不図示）が縫い付けられる。なお、前身頃は、中央ラインで左右２つに分断されていなくてもよく、中央ラインの上部から中央付近までが分断されており、その部分に前立て２が形成されていてもよい。
【００１４】
台襟３は、襟４の土台となるものであり、通常、前身頃及び前立て２の上部に設置される。上前身頃側の台襟３の襟元には適宜ボタンホール１７が形成され、下前身頃側の台襟３の襟元には、ボタンホールの位置に合わせてボタン（不図示）が縫い付けられる。本発明の第一の実施形態において、上衣１は、台襟３を有している必要がある（図１〜２）が、本発明の第二の実施形態において、上衣１は、台襟３を有していてもよく（図３）、台襟３を有していなくてもよい（図４）。
【００１５】
本発明に係る上衣１は、襟４を有していてもよく、襟４を有していなくてもよい。襟４は、通常、土台となる台襟３の上辺に縫い付けられるが、台襟３を有しない上衣１の場合には、前身頃の上辺に縫い付けられる。襟４の形状としては、レギューラカラー、ショートポイントカラー、ロングポイントカラー、ナロースプレッドカラー、ワインドスプレッドカラー、フレンチカラー、ミディアムスプレッドカラー、ホリゾンタイルカラー、ボタンダウン、スナップダウン、タブカラー、ピンホールカラー、イタリアンカラー、ラウンドチップカラー、ラウンドカラー、マイターカラー、スタンドカラー、ウイングカラー、ラウンドウイングカラー、ドュエボットーニ、トレボットーニ、クレリックなどが挙げられる。
【００１６】
補強材２０は、前立て２（及び台襟３）の内部に挿入可能なものであり、前立て２の少なくとも上部（及び台襟３の襟元）を補強するための部分である。補強材２０は、先端が曲がったＬ字状のものでもよく（図１〜２）、直線状（スティック状）のものでもよい（図３〜４）。前立て２の内部に補強材２０を挿入しやすくする観点から、補強材２０の先端は、円弧状をなしているか、Ｕ字形状又はＶ字形状をなしていることが好ましい。
【００１７】
補強材２０は、前立て２（及び台襟３）を補強することができる程度の強度を有し、かつ時間が経っても形状を維持することができる素材で形成することが好ましい。補強材２０を形成する素材としては、高密度ポリエチレン（ＨＤＰＥ）、低密度ポリエチレン（ＬＤＰＥ）、直鎖状低密度ポリエチレン（ＬＬＤＰＥ）、エチレン−αオレフィン共重合体、プロピレン−αオレフィン共重合体、エチレン−酢酸ビニル共重合体（ＥＶＡ）、エチレン−メチルメタクリレート共重合体、エチレン−ｎブチルアクリレート共重合体、ポリプロピレン（ＰＰ）等のポリオレフィン；ポリエチレンテレフタレート（ＰＥＴ）、ポリエチレンナフタレート（ＰＥＮ）等のポリエステル；ナイロン６、ナイロン１１、ナイロン１２、ナイロン６６、ナイロン６１０、ナイロン６１２等のポリアミド；これらに粒子状又は繊維状のフィラーが添加された複合材料などが挙げられる。
【００１８】
前立て２において、補強材２０は、通常、前立て２に形成されたボタンホール１６（又は前立てに縫い付けられたボタン）と、前立て２の外側の側辺に沿って形成された縫合部１５との間に設置される。すなわち、補強材２０の幅は、ボタンホール１６（又はボタン）と縫合部１５との間隔などを考慮して適宜決定すればよいが、一般的には３〜６ｍｍとすることが好ましく、例えば５ｍｍとすることができる。補強材２０の長さは、一般的には１０〜３０ｃｍとすることが好ましく、１５〜２５ｃｍとすることがより好ましく、例えば１９ｃｍとすることができる。補強材２０の厚さは、一般的には０．１〜０．５ｍｍとすることが好ましく、例えば０．３ｍｍとすることができる。
【００１９】
ここで、本発明の上衣１は、前立て２に設けられた挿入口から補強材２０を挿入することで、補強材２０を前立て２の内部に配置できるようになっている。すなわち、前立て２には補強材２０を挿入するための挿入口が形成されている。挿入口は、前立て２の前面に形成されていても機能的には問題ないが、デザイン性が低下してしまうことから、前立て２の裏面に形成されていることが好ましい。
【００２０】
挿入口を形成する方法として、図３〜４に示すように、前立て２の内側の側辺に沿って形成される縫合部２ａの少なくとも一部が縫合されていない非縫合部２ｂを設け、その非縫合部２ｂを挿入口とする方法が挙げられる。すなわち、前立て２の内側の側辺には、挿入口となる非縫合部２ｂが設けられていることが好ましい。図１〜２に示すように、前立て２の内側の側辺を全く縫合せずに側辺全体を非縫合部２ｂとしてもよく、側辺の一部のみを非縫合部２ｂとしてもよい。なお、前立て２の内側の側辺を縫合しなくとも、前身頃の端部を折り返した部分はボタンホール１６（又はボタン）で止められているので、前立て２の機能に何ら問題は生じない。ただし、非縫合部２ｂの周辺がめくれてしまう可能性があることから、前立て２は、前身頃の端部が裏側に折り返っている裏前立ての形態であることが好ましい。
【００２１】
本発明の第一の実施形態において、前立て２と台襟３の接続部には、前立て２の内部から台襟３の内部に補強材２０を挿入可能な連通路が形成されている必要がある。連通路を形成する方法としては、図１〜２に示すように、前立て２と台襟３の接続部に、両者を接続する縫合部３ａの少なくとも一部を縫合せずに、それにより形成される非縫合部３ｂを連通路とする方法が挙げられる。連通路となる非縫合部３ｂの幅は、前立て２側から挿入された補強材２０を台襟３の内部に挿入できるように適宜設定することができるが、一般的には５〜２０ｍｍとすることが好ましく、例えば１０ｍｍとすることができる。なお、本発明の第二の実施形態において上衣１が台襟３を有する場合、図３に示すように、前立て２と台襟３の接続部に連通路となる非縫合部３ｂが形成されていなくてもよい。
【００２２】
本発明の第二の実施形態において、前立て２には、図３〜４に示すように、補強材２０の下部を支えるストッパー１０が形成されている必要がある。本発明の第一の実施形態において、前立て２には、図１に示すように、ストッパー１０が形成されていてもよく、図２に示すように、ストッパー１０が形成されていなくてもよい。本発明の第一の実施形態では、先端が曲がったＬ字状の補強材２０を台襟３まで挿入すれば、補強材２０は台襟３のボタンホール１７（又はボタン）を回り込んで設置されることから、ストッパー２０で補強材２０の下部を支えなくても補強材２０は下に落ちない。例えば、図１及び図３〜４に示すように、前立て２の外側の側辺の縫合部１５に沿ってＬ字型の縫合部を形成し、それをストッパー１０とすることができる。また、前立て２が前身頃の上部から中央付近まで形成されている場合には、その前立て２の内部の下端をストッパー１０とすることもできる。
【００２３】
前立て２の内部の上端からストッパー１０までの距離は、使用する予定の補強材２０の長さ等を考慮して適宜設定することができる。ただし、上衣を着る際には前立て２のボタンを上から１〜２個外すことが多く、その１つ下のボタンまでの前立てのヨレを防止することが好ましいことから、ストッパー１０の位置は、前立て２に形成されている上から２〜３個目のボタンホール１６（又はボタン）の位置とすることが好ましい。
【００２４】
前立て２に設けられる挿入口としては、図５に示すように、穴２ｃを形成することもできる。本発明の第二の実施形態において、直線状（スティック状）の補強材２０を用いる場合に特に有効である。穴の形状に関しては、補強材２０を前立て２の内部に挿入可能なものであればよく、円又は楕円形状でもよく、四角形状でもよく、スリットでもよい。穴２ｃを形成する位置は、前立て２におけるストッパー１０の上方の領域であって前立て２の上部近傍でもよく（図５（ａ））、前立て２におけるストッパー１０の上方の領域であってストッパー１０の近傍でもよく（図５（ｂ））、前立て２におけるストッパー１０の上方の領域から側方に外れた位置でもよい（図５（ｃ））。生地ほつれ防止のため、穴２ｃの周囲をかがり縫いしておくことが好ましい。
【００２５】
なお、挿入口は、前立て２の内部に挿入されている補強材２０を取り出すことが可能なように設けられることが好ましい。こうすることで、補強材２０は上衣１に着脱自在なものとなる。すなわち、補強材２０を上衣１に縫い付けるタイプの場合には、補強材２０は上衣１を洗濯するのに耐えられる素材でなければいけないが、上衣１に着脱自在な補強材２０であれば、上衣１を洗濯する際に補強材２０を取り外すことができ、補強材２０の素材の選択の幅が拡がり、コストを下げることが可能となる。さらに、補強材２０が劣化した場合でも、補強材２０だけを新しいものに取り替えて上衣１に挿入すればよいので、上衣１自体を買い換える必要がなくなる。
【００２６】
以上のような上衣の前立て内部に補強材を挿入することで、上衣の前立てのヨレを防止することができ、シャツなどの前立て上部のボタンの幾つかを外したまま着ても、見栄えがよくなる。
【符号の説明】
【００２７】
１    上衣
２    前立て
２ａ  縫合部
２ｂ  非縫合部
２ｃ  穴
３    台襟
３ａ  縫合部
３ｂ  非縫合部
４    襟
１０  ストッパー
１５  縫合部
１６  ボタンホール
１７  ボタンホール
２０  補強材
【図１】
2019039118.tif 000003
【図２】
2019039118.tif 000004
【図３】
2019039118.tif 000005
【図４】
2019039118.tif 000006
【図５】
2019039118.tif 000007